(57)【要約】  点灯部の発光輝度を上げることを目的とする。  導光部材（４）の表面側に、ドット状に点灯する複数の点灯部（９）を有する装飾材（５）を配置した装飾用照明構造に関する。  上記導光部材（４）と装飾材（５）との間に、上記各点灯部（９）と対応する複数の凸レンズ部（１２）を有するレンズ層（１１）を配設する。  そして、この凸レンズ部（１２）が、上記導光部材（４）側の面に、上記導光部材（４）の側へ向けて湾曲突出し、上記点灯部（９）の近傍に光を集光させる凸レンズ面を有する。
2015141276.tif 000002
【特許請求の範囲】
【請求項１】
導光部材の表面側に、ドット状に点灯する複数の点灯部を有する装飾材を配置した装飾用照明構造において、
前記導光部材と装飾材との間に、前記各点灯部と対応する複数の凸レンズ部を有するレンズ層を配設すると共に、
前記凸レンズ部が、前記導光部材側の面に、前記導光部材の側へ向けて湾曲突出し、前記点灯部の近傍に光を集光させる凸レンズ面を有することを特徴とする装飾用照明構造。
【請求項２】
請求項１に記載の装飾用照明構造であって、
前記レンズ層の前記装飾材側の面に、前記点灯部と一対一に対応する複数の上レンズ部を設けたことを特徴とする装飾用照明構造。
【請求項３】
請求項１に記載の装飾用照明構造であって、
前記凸レンズ部の焦点が、前記レンズ層の内部に設定されたことを特徴とする装飾用照明構造。
【請求項４】
請求項２に記載の装飾用照明構造であって、
前記凸レンズ部の焦点が、前記レンズ層の内部に設定されたことを特徴とする装飾用照明構造。
【請求項５】
請求項１に記載の装飾用照明構造であって、
前記点灯部が、光を透過可能な薄肉部を有することを特徴とする装飾用照明構造。
【請求項６】
請求項２に記載の装飾用照明構造であって、
前記点灯部が、光を透過可能な薄肉部を有することを特徴とする装飾用照明構造。
【請求項７】
請求項３に記載の装飾用照明構造であって、
前記点灯部が、光を透過可能な薄肉部を有することを特徴とする装飾用照明構造。
【請求項８】
請求項４に記載の装飾用照明構造であって、
前記点灯部が、光を透過可能な薄肉部を有することを特徴とする装飾用照明構造。
【請求項９】
請求項５に記載の装飾用照明構造であって、
前記点灯部の表面側に、前記薄肉部へ向かって窪む窪み部が形成され、
該窪み部は、前記凸レンズ部によって集光された光が、集光後に拡散する拡散形状と同じか、それよりも広がった円錐形状を有するものとされたことを特徴とする装飾用照明構造。
【請求項１０】
請求項６に記載の装飾用照明構造であって、
前記点灯部の表面側に、前記薄肉部へ向かって窪む窪み部が形成され、
該窪み部は、前記凸レンズ部によって集光された光が、集光後に拡散する拡散形状と同じか、それよりも広がった円錐形状を有するものとされたことを特徴とする装飾用照明構造。
【請求項１１】
請求項７に記載の装飾用照明構造であって、
前記点灯部の表面側に、前記薄肉部へ向かって窪む窪み部が形成され、
該窪み部は、前記凸レンズ部によって集光された光が、集光後に拡散する拡散形状と同じか、それよりも広がった円錐形状を有するものとされたことを特徴とする装飾用照明構造。
【請求項１２】
請求項８に記載の装飾用照明構造であって、
前記点灯部の表面側に、前記薄肉部へ向かって窪む窪み部が形成され、
該窪み部は、前記凸レンズ部によって集光された光が、集光後に拡散する拡散形状と同じか、それよりも広がった円錐形状を有するものとされたことを特徴とする装飾用照明構造。
【請求項１３】
請求項１に記載の装飾用照明構造であって、
前記レンズ層が前記装飾材に対し、二色成形によって一体化されたことを特徴とする装飾用照明構造。
【請求項１４】
請求項２に記載の装飾用照明構造であって、
前記レンズ層が前記装飾材に対し、二色成形によって一体化されたことを特徴とする装飾用照明構造。
【請求項１５】
請求項３に記載の装飾用照明構造であって、
前記レンズ層が前記装飾材に対し、二色成形によって一体化されたことを特徴とする装飾用照明構造。
【請求項１６】
請求項５に記載の装飾用照明構造であって、
前記レンズ層が前記装飾材に対し、二色成形によって一体化されたことを特徴とする装飾用照明構造。
【請求項１７】
請求項９に記載の装飾用照明構造であって、
前記レンズ層が前記装飾材に対し、二色成形によって一体化されたことを特徴とする装飾用照明構造。
【発明の詳細な説明】
【技術分野】
【０００１】
この出願は、装飾用照明構造に関するものである。
【背景技術】
【０００２】
自動車などの車両には、車室内を、装飾のために照明できるようにしたものがある（例えば、特許文献１参照）。装飾のための照明は、例えば、ドアパネルや天井パネルなどに対して行われる。【０００３】
そして、上記特許文献１の装飾用照明構造では、導光部材の表面側に、複数の小孔を有する表皮材を被せて、導光部材の端部から光を入光し、表皮材に設けられた複数の小孔から光を漏らすことにより、ドット状に点灯する装飾照明を行わせるようにしている。
【先行技術文献】
【特許文献】
【０００４】
【特許文献１】特開昭５９−８５４６号公報
【発明の概要】
【発明が解決しようとする課題】
【０００５】
しかしながら、上記装飾用照明構造は、導光部材の表面側から出た光を、単に表皮材の小孔を通して車室内側へ漏すようにしただけのものであった。そのため、発光輝度が低く、光を効率良く利用しているとは言い難かった。【０００６】
そこで、上記した問題点を解決し、発光輝度を上げられるようにすることを、主な目的としている。
【課題を解決するための手段】
【０００７】
上記課題を解決するために、
導光部材の表面側に、ドット状に点灯する複数の点灯部を有する装飾材を配置した装飾用照明構造において、
前記導光部材と装飾材との間に、前記各点灯部と対応する複数の凸レンズ部を有するレンズ層を配設すると共に、
前記凸レンズ部が、前記導光部材側の面に、前記導光部材の側へ向けて湾曲突出し、前記点灯部の近傍に光を集光させる凸レンズ面を有することを特徴とする。
【発明の効果】
【０００８】
上記構成によって、以下のような作用効果を得ることができる。
即ち、導光部材と装飾材との間に、複数の凸レンズ部を有するレンズ層を設けた。これにより、導光部材からの光は、レンズ層に設けられた各凸レンズ部によって装飾材の点灯部の近傍で集光され集光後に拡散されると共に、点灯部を透される。そのため、点灯部を透った光は、集光し拡散されたものとなるので、点灯部における光の発光輝度を上げたり発光範囲を広げたりすることができる。以って、導光部材からの光を効率良く利用できるようになる。
【図面の簡単な説明】
【０００９】
【図１】本実施の形態の実施例にかかる装飾用照明構造を備えたセンターコンソール部の斜視図である。
【図２】図１のセンターコンソール部の平面図である。
【図３】図２のセンターコンソール部を車幅方向に沿って切断した縦断面図である。
【図４】図２のセンターコンソール部を車両前後方向に沿って切断した縦断面図である。
【図５】図１の装飾用照明構造を備えたトレイ部の分解斜視図である。
【図６】図５のトレイ部（装飾部品）の平面図である。
【図７】図６のトレイ部の部分的な拡大縦断面図である。
【図８】複数の点灯部に対して１つの凸レンズ部を対応させたトレイ部の部分的な拡大縦断面図である。
【図９】凸レンズの間にシボ等の乱反射面を形成したトレイ部の部分的な拡大縦断面図である。
【発明を実施するための形態】
【００１０】
以下、本実施の形態を、図面を用いて詳細に説明する。
図１〜図９は、この実施の形態を説明するためのものである。
【実施例１】
【００１１】
＜構成＞以下、この実施例の構成について説明する。
自動車などの車両における、車室内に装飾のための照明を設ける。この場合、装飾用照明構造は、図１の斜視図、または図２の平面図に示すように、車室内における、運転席と助手席との間に設けられたセンターコンソール部１の前側に設置されるトレイ部２に対して設けられる。但し、装飾用照明構造を設けることができるのは、トレイ部２に限るものではない。例えば、ドアパネルや天井パネルや、その他のパネル類などに対して装飾用照明構造を設けることができる。【００１２】
このトレイ部２は、図３、図４に示すような断面構造と、図５に示すような分解構造とを有するものとされる。即ち、一番下側に、トレイ部２の基本的な形状を備えると共に、光の遮蔽部材となる浅い皿状のベース部３を有する。このベース部３の上に、浅い皿状の導光部材４と装飾材５とが順次載置される。更に、これらの上側から、周縁部を縁取る化粧枠部材６が取付けられる。ベース部３には、図５に示すように、複数のＬＥＤ７などの発光ダイオードを有する棒状の光源部８が、導光部材４に臨むように取付けられる。そして、導光部材４の表面側に配置される装飾材５には、図６に示すように、ドット状に点灯する複数の点灯部９が設けられる。【００１３】
ここで、ベース部３は、硬質で白色などの明色系の遮光性樹脂材料などによって形成される。導光部材４は、透明な樹脂材料によって形成される。導光部材４の底面側には、光源部８からの光を装飾材５へ向けて反射させる反射部４ａ（図７参照）が適宜形成される。この反射部４ａは、細かいシボ模様や、細かい反射面などとすることができる。但し、反射部４ａは、光を導光部材４と面直な平行光として反射させる反射面を有するものであることが望ましい。装飾材５には、例えば、エラストマーなどの柔軟なゴム系の樹脂材料などが使用される。光源部８は、トレイ部２の前後の辺に沿って一対設けられている。点灯部９は、装飾材５のほぼ全面に対して細かい碁盤目状などとなるように設けられる。【００１４】
そして、以上のような基本的な構成に対し、この実施例では、以下のような構成を備えるようにしている。【００１５】
（１）図７に示すように、上記導光部材４と装飾材５との間に、レンズ層１１を配設する。
このレンズ層１１が、上記各点灯部９と対応する複数の凸レンズ部１２を有するものとされる。
そして、この凸レンズ部１２が、上記導光部材４側の面に、上記導光部材４の側へ向けて湾曲突出し、上記点灯部９の近傍に光を集光させる凸レンズ面を有する。【００１６】
ここで、レンズ層１１は、透明な樹脂材料によって形成される。凸レンズ部１２は、下向きの凸レンズ面を有するもの（下レンズ）とされ、レンズ層１１と一体に形成される。
この場合、凸レンズ部１２は、各点灯部９と一対一に対応するものとされている。但し、凸レンズ部１２は、図８に示すように、複数（例えば、縦横３個×３個）の点灯部９に対して１個で対応させるようにしても良い（複数対応型レンズ１２ａ）。または、各凸レンズ部１２を、一つの焦点に集光するようにした複数のマイクロレンズで形成しても良い。なお、上記した各凸レンズ１２は、対応する点灯部９の真下ではなく、反射部４ａによる光の反射方向に応じて点灯部９からオフセットさせて配置するようにしても良い。
更に、図９に示すように、凸レンズ１２の間には、シボ等の乱反射面１３を形成するようにしても良い。これにより、導光部材４から乱反射面に入光した光を拡散光にして点灯部９まで導くことができるようになり、高輝度化を図ることが可能となる。【００１７】
（２）上記レンズ層１１の上記装飾材５側の面に、上記点灯部９と一対一に対応する複数の上レンズ部２１を設ける。【００１８】
ここで、上レンズ部２１は、装飾材５の側へ向けて湾曲突出する凸レンズとされる。上レンズ部２１は、上記した凸レンズ部１２と同様に、平坦面とされたレンズ層１１の上面から上方へ突出するようなものとしても良い。但し、この場合には、型抜き勾配などを考慮して、全体に凹凸部を有するレンズ層１１の上面に設けるようにしている。具体的には、山形状を連ねた凹凸面の頂点の位置に上レンズ部２１を設けるようにしている。なお、上レンズ部２１については、必要に応じて設けるようにすれば良い。【００１９】
（３）上記凸レンズ部１２（下レンズ）の焦点３１が、上記レンズ層１１の内部に設定されるようにする。【００２０】
この場合、焦点３１は、上レンズ部２１（のレンズ面）よりも僅かに下側の位置に設定されている。但し、焦点３１の位置は、上レンズ部２１よりも僅かに下側の位置に限らず、上レンズ部２１のレンズ面上としても良い。【００２１】
（４）上記点灯部９が、光を透過可能な薄肉部４１を有するものとされる。【００２２】
ここで、薄肉部４１は、例えば、直径０．５ｍｍ、厚さ０．２５ｍｍ程度の平面視がほぼ円形状をしたものなどとされる。各薄肉部４１間の間隔は、２．５ｍｍなどとされる。但し、薄肉部４１に関する各寸法は、これに限るものではない。
なお、装飾材５は、必ずしも点灯部９に部分的な薄肉部４１を設ける必要はない。例えば、装飾材５は、全体を点灯部９にとって最適となる均一の肉厚としても良い。このように、装飾材５から部分的な薄肉部４１をなくすことで、装飾材５における点灯部９周辺の光透過率が向上するので、その分、点灯部９の輝度を上げることが可能となる。【００２３】
（５）上記点灯部９の表面側に、上記薄肉部４１へ向かって窪む窪み部５１が形成される。
この窪み部５１は、凸レンズ部１２によって集光された光が、集光後に拡散する拡散形状と同じか、それよりも広がった円錐形状を有するものとされる。【００２４】
ここで、窪み部５１は、例えば、表面から底部の薄肉部４１までの深さが０．２５ｍｍ程度で、面直方向（図中上方）に対してほぼ６０度の角度で広がる円錐形状のものなどとされる。但し、窪み部５１に関する各寸法は、これに限るものではない。光の拡散形状には、上記した上レンズ部２１によるものも含むことができる。【００２５】
（６）そして、上記レンズ層１１が上記装飾材５に対し、二色成形によって一体化されるようにする。【００２６】
ここで、上記したレンズ層１１は、二色成形の一層目として成形される。また、上記した装飾材５は、二色成形の二層目（装飾層）としてレンズ層１１の表面側に成形される。そして、これら装飾材５とレンズ層１１とによって、一体の装飾照明部品６１が製造される。【００２７】
なお、凸レンズ部１２は、少なくとも、薄肉部４１よりも大きな径を有するものとされる。好ましくは、点灯部９よりも大きな径とされる。このように、凸レンズ部１２の径を大きくすることにより、導光部材４からの光をより効率的に利用することが可能となる。【００２８】
＜作用効果＞この実施例によれば、以下のような作用効果を得ることができる。
光源部８を点灯すると、光源部８からの光は、導光部材４およびレンズ層１１を介して装飾材５に設けられた点灯部９を光らせる。これにより、トレイ部２の照明が行われる。【００２９】
（１）そして、導光部材４と装飾材５との間に、複数の凸レンズ部１２（下レンズ）を有するレンズ層１１を設けた。これにより、導光部材４からの光（平行光）は、レンズ層１１に設けられた各凸レンズ部１２によって装飾材５の点灯部９の近傍で集光される。この光は、集光後に拡散されると共に、点灯部９を透過される。そのため、点灯部９を透過した光は、集光し拡散されたものとなるので、点灯部９における光の発光輝度を上げたり発光範囲を広げたりすることができる。以って、導光部材４からの光を効率良く利用できるようになる。【００３０】
（２）レンズ層１１の装飾材５側の面に上レンズ部２１（凸レンズ）を設けた。これにより、レンズ層１１を出る時に、光を拡散させることができる。そして、凸レンズ部１２と上レンズ部２１とを二重に設けることによって、光の拡散倍率を大きくすることができる。【００３１】
（３）凸レンズ部１２の焦点３１をレンズ層１１の内部に設定した。これにより、光をレンズ層１１内部の焦点３１の位置で、集光し拡散してレンズ層１１の外部へ取り出すことができる。即ち、点灯部９よりも奥側の位置で光の集光・拡散を行わせることができるので、光を拡散させる上で有利である。しかも、上レンズ部２１を設けている場合には、レンズ層１１内部の焦点３１で集光し拡散された光は、レンズ層１１を出る時に、上レンズ部２１によって更に拡散されることになるので、光の拡散効果をより高くすることができる。【００３２】
（４）点灯部９を、薄肉部４１によって構成した。これにより、点灯部９は、薄肉部４１を透過した光によって照明されるものとなり、高級感のある照明効果を得ることができる。また、点灯部９を、薄肉部４１とすることにより、例えば、点灯部９を小孔にした場合などのように、ゴミ詰まりなどによって照明が見えなくなってしまうような不具合や、小孔部が不用意に裂けてしまうような不具合などを、起こし難くすることができる。【００３３】
（５）点灯部９の表面側に薄肉部４１へ向かって窪む円錐形状の窪み部５１を形成した。これにより、窪み部５１が、光の拡散形状に沿ったものまたは拡散形状よりも若干広がったものとなる。そのため、窪み部５１が光の拡散を妨げないようにすることができると共に、様々な位置や角度から光を見ることができるようになる。即ち、照明の視認可能範囲を広げることが可能となる。また、窪み部５１の周囲の部分については、装飾材５が厚肉化されることになるので、装飾材５や薄肉部４１を傷付き難いものにすることができる。更に、多数の窪み部５１によって、装飾材５に独特の素材感を与えることができる。【００３４】
（６）レンズ層１１を、二色成形によって装飾材５と一体化した。これにより、レンズ層１１と装飾材５とを、一度に成形することができるようになると共に、部品点数の削減によるコスト低下を図ることができる。しかも、レンズ層１１と装飾材５とを一体化することにより、全ての点灯部９と上レンズ部２１との位置関係が正確に規定されるので、一層効率良く点灯部９を発光させることが可能となる。【００３５】
以上、この実施例を図面により詳述してきたが、実施例は例示にしか過ぎないものである。よって、実施例の構成にのみ限定されるものではなく、要旨を逸脱しない範囲の設計の変更等があっても含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００３６】
４    導光部材
５    装飾材
９    点灯部
１１  レンズ層
１２  凸レンズ部
２１  上レンズ部
３１  焦点
４１  薄肉部
５１  窪み部
【関連出願の相互参照】
【００３７】
本出願は、２０１４年３月２０日に、日本国特許庁に出願された特願２０１４−５７５５４に基づいて優先権を主張し、その全ての開示は、完全に本明細書で参照により組み込まれる。
【図１】
2015141276.tif 000003
【図２】
2015141276.tif 000004
【図３】
2015141276.tif 000005
【図４】
2015141276.tif 000006
【図５】
2015141276.tif 000007
【図６】
2015141276.tif 000008
【図７】
2015141276.tif 000009
【図８】
2015141276.tif 000010
【図９】
2015141276.tif 000011
【国際調査報告】
2015141276.tif 000012
2015141276.tif 000013
2015141276.tif 000014
2015141276.tif 000015